(57)【要約】【課題】補助上下風向板が第１上壁部を延長した面上にある場合に、風切り音が発生するとともに、補助上下風向板を駆動するのに駆動トルクの大きいモータを使用する必要がある。【解決手段】この空気調和機は、送風ファン３と、上下風向板６と、上下風向板６の上方において回動可能に支持された補助上下風向板７とを備え、空気流路の上壁部１５が、前方に向かって下向きに傾斜した第１上壁部１６と、第１上壁部１６の前方において空気流路が広がるように配置された第２上壁部１７とを有する。そして、補助上下風向板７が、第１上壁部１６を延長した面Ｓを含む上下方向範囲において回動可能であって、補助上下風向板７が面Ｓ上（範囲β）にあるときの回動速度が、補助上下風向板７が面Ｓより上方（範囲α）にあるときの回動速度より遅い。【選択図】図４
2014122738.tif 000002
【特許請求の範囲】
【請求項１】
吸込口から吹出口に至る空気流路に配置された送風ファンと、
前記吹出口の近傍において回動可能に支持された上下風向板と、
前記上下風向板の上方において回動可能に支持された補助上下風向板とを備え、
前記空気流路の上壁部が、前方に向かって下向きに傾斜した第１上壁部と、前記第１上壁部の前方において前記空気流路が広がるように配置された第２上壁部とを有し、
前記補助上下風向板が、前記第１上壁部を延長した面を含む上下方向範囲において回動可能であって、
前記補助上下風向板が前記面上にあるときの回動速度が、前記補助上下風向板が前記面より上方にあるときの回動速度より遅いことを特徴とする空気調和機。
【請求項２】
前記補助上下風向板が前記面より下方にあるときの回動速度が、前記補助上下風向板が前記面より上方にあるときの回動速度より遅いことを特徴とする請求項１に記載の空気調和機。
【請求項３】
前記補助上下風向板が、暖房運転時において前記面を含む上下方向範囲においてスイング動作を行うものであることを特徴とする請求項１または２に記載の空気調和機。
【請求項４】
前記補助上下風向板が、冷房運転時において前記面より上方に配置されるとともに、前記上下風向板が所定位置より下向きに固定された場合に前記面より下方に配置されることを特徴とする請求項１または２に記載の空気調和機。
【発明の詳細な説明】
【技術分野】
【０００１】
本発明は、上下風向板及び補助上下風向板が吹出口の近傍に配置された空気調和機に関するものである。
【背景技術】
【０００２】
従来の空気調和機には、吸込口から吹出口に至る空気流路に配置された送風ファンと、吹出口の近傍に配置された上下風向板と、上下風向板の上方に配置された補助上下風向板とを備えたものがある。上下風向板及び補助上下風向板は、回動可能に支持され、吹出口の長手方向に沿って延びている。また、この空気調和機では、吹出口に至る空気流路の上壁部が、前方に向かって下向きに傾斜した第１上壁部と、第１上壁部の前方において空気流路が広がるように配置された第２上壁部とを有しており、補助上下風向板が、第１上壁部を延長した面より第２上壁部側に配置されている。
【先行技術文献】
【特許文献】
【０００３】
【特許文献１】特開２００９−７９８４６号公報
【発明の概要】
【発明が解決しようとする課題】
【０００４】
ところで、上記の空気調和機において、補助上下風向板は、第１上壁部を延長した面の上方範囲及び下方範囲にわたってスイング動作が行われることがある。しかし、第１上壁部を延長した面の下方範囲は上方範囲に比べて風量が多いため、補助上下風向板が第１上壁部を延長した面上にある場合に、風切り音が発生する問題がある。また、補助上下風向板が第１上壁部を延長した面上にある場合、風量の抵抗が大きいので、駆動トルクの大きいモータを使用する必要がある。
【０００５】
そこで、本発明の目的は、補助上下風向板が第１上壁部を延長した面上にある場合に、風切り音が発生することを抑制できるとともに、駆動トルクの小さいモータを使用できる空気調和機を提供することである。
【課題を解決するための手段】
【０００６】
第１の発明にかかる空気調和機は、吸込口から吹出口に至る空気流路に配置された送風ファンと、前記吹出口の近傍において回動可能に支持された上下風向板と、前記上下風向板の上方において回動可能に支持された補助上下風向板とを備え、前記空気流路の上壁部が、前方に向かって下向きに傾斜した第１上壁部と、前記第１上壁部の前方において前記空気流路が広がるように配置された第２上壁部とを有し、前記補助上下風向板が、前記第１上壁部を延長した面を含む上下方向範囲において回動可能であって、前記補助上下風向板が前記面上にあるときの回動速度が、前記補助上下風向板が前記面より上方にあるときの回動速度より遅いことを特徴とする。
【０００７】
この空気調和機では、補助上下風向板が、第１上壁部を延長した面を含む上下方向範囲において回動可能であって、補助上下風向板が第１上壁部を延長した面上にあるときの回動速度が、補助上下風向板が第１上壁部を延長した面より上方にあるときの回動速度より遅いので、補助上下風向板が第１上壁部を延長した面上にある場合に、風切り音が発生することを抑制できるとともに、補助上下風向板を駆動するモータとして駆動トルクの小さいモータを使用できる。
【０００８】
第２の発明にかかる空気調和機では、第１の発明にかかる空気調和機において、前記補助上下風向板が前記面より下方にあるときの回動速度が、前記補助上下風向板が前記面より上方にあるときの回動速度より遅いことを特徴とする。
【０００９】
この空気調和機では、補助上下風向板が第１上壁部を延長した面より下方にあるときの回動速度が、補助上下風向板が第１上壁部を延長した面より上方にあるときの回動速度より遅いので、補助上下風向板が第１上壁部を延長した面より下方にある場合においても、風切り音が発生することを抑制できるとともに、補助上下風向板を駆動するモータとして駆動トルクの小さいモータを使用できる。
【００１０】
第３の発明にかかる空気調和機では、第１または第２の発明にかかる空気調和機において、前記補助上下風向板が、暖房運転時において前記面を含む上下方向範囲においてスイング動作を行うものであることを特徴とする。
【００１１】
この空気調和機では、補助上下風向板が、暖房運転時において、第１上壁部を延長した面を含む上下方向範囲においてスイング動作を行うものである場合に、風切り音が発生することを抑制できる。
【００１２】
第４の発明にかかる空気調和機では、第１または第２の発明にかかる空気調和機において、前記補助上下風向板が、冷房運転時において前記面より上方に配置されるとともに、前記上下風向板が所定位置より下向きに固定された場合に前記面より下方に配置されることを特徴とする。
【００１３】
この空気調和機では、補助上下風向板が、冷房運転時において、第１上壁部を延長した面より上方に配置されるとともに、上下風向板が所定位置より下向きに固定された場合に第１上壁部を延長した面より下方に配置されるものである場合に、風切り音が発生することを抑制できる。
【発明の効果】
【００１４】
以上の説明に述べたように、本発明によれば、以下の効果が得られる。
【００１５】
第１の発明では、補助上下風向板が、第１上壁部を延長した面を含む上下方向範囲において回動可能であって、補助上下風向板が第１上壁部を延長した面上にあるときの回動速度が、補助上下風向板が第１上壁部を延長した面より上方にあるときの回動速度より遅いので、補助上下風向板が第１上壁部を延長した面上にある場合に、風切り音が発生することを抑制できるとともに、補助上下風向板を駆動するモータとして駆動トルクの小さいモータを使用できる。
【００１６】
第２の発明では、補助上下風向板が第１上壁部を延長した面より下方にあるときの回動速度が、補助上下風向板が第１上壁部を延長した面より上方にあるときの回動速度より遅いので、補助上下風向板が第１上壁部を延長した面より下方にある場合においても、風切り音が発生することを抑制できるとともに、補助上下風向板を駆動するモータとして駆動トルクの小さいモータを使用できる。
【００１７】
第３の発明では、補助上下風向板が、暖房運転時において、第１上壁部を延長した面を含む上下方向範囲においてスイング動作を行うものである場合に、風切り音が発生することを抑制できる。
【００１８】
第４の発明では、補助上下風向板が、冷房運転時において、第１上壁部を延長した面より上方に配置されるとともに、上下風向板が所定位置より下向きに固定された場合に第１上壁部を延長した面より下方に配置されるものである場合に、風切り音が発生することを抑制できる。
【図面の簡単な説明】
【００１９】
【図１】本発明の実施形態に係る空気調和機の外観図である。
【図２】図１に示す空気調和機の断面図である。
【図３】補助上下風向板の構成を説明する図である。
【図４】図１に示す空気調和機の断面図であって、補助上下風向板の回動範囲を示す図である。
【図５】補助上下風向板の回動範囲及び回動速度を示す模式図である。
【図６】図１に示す空気調和機の断面図であって、冷房運転時において、上下風向板が所定位置より下方に配置された場合の補助上下風向板の配置位置を示す図である。
【図７】図１に示す空気調和機の機能ブロック図である。
【図８】図１に示す空気調和機のフローを示すフローチャートである。
【発明を実施するための形態】
【００２０】
以下、図面を参照しつつ本発明の実施形態に係る空気調和機について説明する。
【００２１】
［空気調和機の構成］
本発明の実施形態に係る空気調和機は、図１に示す室内機１と、図示しない室外機とで構成されている。室内機１は、全体として一方向に細長い形状をしており、その長手方向が水平となるように室内の壁面に据え付けられている。なお、以下の説明において、室内機１が取り付けられる壁から突出する方向を「前方」と称し、その反対の方向を「後方」と称する。また、図１に示す左右方向を単に「左右方向」と称する。
【００２２】
［室内機１］
図２に示すように、室内機１は、ケーシング２と、ケーシング２内に収容された送風ファン３、熱交換器４、左右風向板５、上下風向板６、補助上下風向板７等を備えている。
【００２３】
ケーシング２は、略直方体状のグリル１１と、グリル１１の前面を覆う前面パネル１２とを有する。グリル１１の上面には、左右方向に長い格子状の開口である吸込口１３が形成されており、グリル１１の下面には、左右方向に長い矩形状の開口である吹出口１４が形成されている。そして、空調運転時には、吸込口１３から吹出口１４に至る空気流路に配置された送風ファン３が駆動されることによって吸込口１３から吸い込まれた空気は、熱交換器４において加熱または冷却された後、吹出口１４から室内に吹き出される。
【００２４】
＜空気流路＞
吸込口１３から吹出口１４に至る空気流路のうち左右風向板５から吹出口１４に至る空気流路の上壁部１５は、図２に示すように、前方に向かって下向きに傾斜した第１上壁部１６と、第１上壁部１６の前方において空気流路が広がるように配置された第２上壁部１７によって形成されている。第２上壁部１７は、具体的には、前方に向かって略水平に延在しており、第１上壁部１６を延長した面Ｓに対しておよそ３０°上方に広がるように配置されている。また、左右風向板５から吹出口１４に至る空気流路の下壁部１８は、グリル１１によって形成されており、前方に向かって下向きに傾斜している。なお、第１上壁部１６を延長した面Ｓより下壁部１８側（下方、下方範囲）は、第１上壁部１６を延長した面Ｓより第２上壁部１７側（上方、上方範囲）に比べて、送風ファン３からの吹出空気の風量が多い。
【００２５】
＜上下風向板６＞
上下風向板６は、図２に示すように、吹出口１４の近傍に配置され、支持部材１９によって回転軸１９ａの周りを回動可能に支持されている。この上下風向板６は、吹出口１４の長手方向（左右方向）に沿って延びており、上下方向について吹出口１４から吹き出される空気の風向を変更すると共に、吹出口１４の開閉を行う。なお、以下においては、上下風向板６の２つの面のうち下方側を表面６ａ、上方側を裏面６ｂと称する。
【００２６】
この上下風向板６は、図示しない駆動モータが駆動されることによって、回転軸１９ａを中心に上側構造当たり（全閉状態）から下側構造当たり（全開状態）までの範囲を回動できるようになっている。この上下風向板６は、図示しないリモコンの操作によって制御可能であって、所定の範囲（上限位置から下限位置までの範囲）において上下風向板６を往復可動させる「スイング動作」を行うことができる。また、リモコンの操作によって、上下風向板６を上限位置から下限位置までの範囲において所望の位置に固定することができる。
【００２７】
＜補助上下風向板７＞
補助上下風向板７は、図２に示すように、上下風向板６の上方において第２上壁部１７の近傍に配置され、支持部材２０によって回転軸２０ａの周りを回動可能に支持されている。この補助上下風向板７は、吹出口１４の長手方向（左右方向）に沿って延びており、上下風向板６と共に上下方向について吹出口１４から吹き出される空気の風向を変更する。なお、以下においては、補助上下風向板７の２つの面のうち下方側を表面７ａ、上方側を裏面７ｂと称する。
【００２８】
補助上下風向板７は、図３（ａ）に示すように、矩形状の板状部材であって、その裏面７ｂには、３つの支持部材２０が配置されている。支持部材２０は、取付孔２１を有しており、第２上壁部１７に配置された図示しない支持軸に回転可能に取り付けられる。したがって、補助上下風向板７は、支持軸の中心軸である回転軸２０ａの周りを回転可能である。なお、本実施形態において、補助上下風向板７とは、矩形状の板状部材を指し、支持部材２０や図示しない支持軸は、補助上下風向板７には含まれない。
【００２９】
この補助上下風向板７は、図示しない駆動モータが駆動されることによって、回転軸２０ａを中心に上側構造当たり（全閉状態）から下側構造当たり（全開状態）までの範囲を回動できるようになっている。補助上下風向板７が上側構造当たりに配置された状態においては、図４に示すように、補助上下風向板７は、第１上壁部１６を延長した面Ｓより上方に配置される。一方、補助上下風向板７が下側構造当たりに配置された状態においては、補助上下風向板７は、面Ｓより下方に配置される。したがって、補助上下風向板７は、面Ｓを含む上下方向範囲において回動可能である。なお、補助上下風向板７が上側構造当たりに配置された状態においては、補助上下風向板７の裏面７ｂの先端７ｃが第２上壁部１７に当接している。
【００３０】
この補助上下風向板７の回動範囲は、図４及び図５に示すように、上側構造当たりを上限位置とし、補助上下風向板７が面Ｓより上方に配置される範囲αと、補助上下風向板７の一部が面Ｓ上にある範囲βと、下側構造当たりを下限位置とし、補助上下風向板７が面Ｓより下方に配置される範囲γとに分けられる。補助上下風向板７が上側構造当たりから下方に回動する場合、範囲βの上限Ｔ１において、補助上下風向板７の後端部７ｄと面Ｓとが最初に交わる。また、範囲βの下限Ｔ２において、補助上下風向板７の先端部７ｃと面Ｓとが最後に交わる。そのため、本実施形態において、「補助上下風向板７が第１上壁部１６を延長した面Ｓ上にある」とは、補助上下風向板７が上限Ｔ１から下限Ｔ２まで、即ち、範囲βにあることを指す。なお、本実施形態において、上限Ｔ１は、上側構造当たり（即ち、第２上壁部１７）に対しておよそ１５°下方に位置し、下限Ｔ２は、上側構造当たりに対しておよそ３７°下方に位置する。
【００３１】
また、「補助上下風向板７が第１上壁部１６を延長した面Ｓより上方にある」とは、補助上下風向板７の全領域が、面Ｓより上方にあることを意味し、具体的には、補助上下風向板７の全領域が範囲αにあることを指す。
【００３２】
また、「補助上下風向板７が第１上壁部１６を延長した面Ｓより下方にある」とは、補助上下風向板７の全領域が、面Ｓより下方にあることを意味し、具体的には、補助上下風向板７の全領域が範囲γにあることを指す。
【００３３】
また、この補助上下風向板７は、リモコンの操作によって制御可能なものではなく、その配置位置は、空気調和機の運転状態などによって自動的に定められる。
【００３４】
この空気調和機では、冷房運転時において、補助上下風向板７は、通常、第１上壁部１６を延長した面Ｓより第２上壁部１７側に配置される。したがって、図２に示すように、補助上下風向板７は面Ｓより上方（範囲α）に配置され、回転軸２０ａが補助上下風向板７より後方にある。また、図３（ｂ）に示すように、補助上下風向板７の回転軸２０ａに垂直な断面において、補助上下風向板７の後端部７ｄが、補助上下風向板７の後端に近づくにつれて回転軸２０ａから離れる方向に傾斜している（図３（ｂ）では、補助上下風向板７の後端部７ｄが、後方に近づくにつれて下方に傾斜している）。
【００３５】
但し、図６に示すように、冷房運転時において、上下風向板６が所定位置よりも下向きに固定された場合には、補助上下風向板７は、面Ｓより上方（範囲α）から下方に回動し、面Ｓより下方（範囲γ）に配置される。その結果、送風ファン３からの冷気の一部が、図６に示すように、補助上下風向板７に当たって、補助上下風向板７の近くを流れる冷気が上下風向板６の裏面６ｂに向かって流れるので、上下風向板６の裏面６ｂに水滴が付くことが防止される。また、上下風向板６が所定位置よりも下向きに固定された後に、上下風向板６が所定位置よりも上向きに固定された場合には、補助上下風向板７は、面Ｓより下方（範囲γ）から上方に回動し、面Ｓより上方（範囲α）に配置される。なお、上記の「所定位置」は、上下風向板６の裏面６ｂに付く水滴の量や、補助上下風向板７が面Ｓより下方に配置されることによる風量の減少等を考慮して適宜定められる。
【００３６】
［リモコン］
図示しないリモコンは、図１に示す室内機１および図示しない室外機と赤外線通信可能であって、室内機１及び室外機の制御に係る各種指令をユーザの操作に応じて送信する。このリモコンにより、ユーザは、上下風向板６の固定位置、「スイング動作」、冷房運転、暖房運転、除湿運転などの各運転モード、設定温度などを選択できる。
【００３７】
ここで、「スイング動作」とは、暖房運転時において、上下風向板６を所定の範囲（上限位置から下限位置までの範囲）で上下方向に揺動させるとともに、補助上下風向板７を所定の範囲（面Ｓを含む上下方向範囲）で上下方向に揺動させて、吹出口１４からの暖気を吹き出す方向を上下方向に変更する運転を言う。したがって、補助上下風向板７は、暖房運転時の「スイング動作」の際に、面Ｓの上方（範囲α）と下方（範囲γ）との間を往復する。
【００３８】
［制御部８］
制御部８（制御手段）は、ＣＰＵ（Central Processing Unit）、ＲＯＭ（Read Only Memory）、ＲＡＭ（Random Access Memory）などの複数のハードウェアから構成されている。ＲＯＭには、制御部８の動作を制御する制御プログラムなどが格納されている。そして、この制御部８は、図７に示すように、送風ファン３、左右風向板５、上下風向板６、補助上下風向板７と電気的に接続されている。
【００３９】
この制御部８は、リモコンの操作などを受けて、上下風向板６の固定位置、「スイング動作」、冷房運転、暖房運転、除湿運転などの各運転モードなどが設定された場合に、上下風向板６及び補助上下風向板７を所定の位置にそれぞれ配置したり、上下風向板６及び補助上下風向板７を上下方向に揺動させたりする。
【００４０】
ところで、この制御部８は、送風ファン３の駆動中に補助上下風向板７を回動させる場合、図５に示すように、補助上下風向板７が面Ｓ上（範囲β）にあるときの回動速度Ｖ２、及び補助上下風向板７が面Ｓより下方（範囲γ）にあるときの回動速度Ｖ３を、補助上下風向板７が面Ｓより上方（範囲α）にあるときの回動速度Ｖ１（通常の回動速度）よりも遅くする。したがって、送風ファン３からの吹出空気の風量が多い位置（範囲β、及び範囲γ）に補助上下風向板７が配置されている場合に、補助上下風向板７の回動速度は遅くなる。なお、回動速度Ｖ２と回動速度Ｖ３は同じである。
【００４１】
一方、この制御部８は、送風ファン３が駆動していない場合は、補助上下風向板７の位置にかかわらず、通常の回動速度である回動速度Ｖ１で、補助上下風向板７を回動させる。
【００４２】
［フロー］
次に、図８を参照して本実施形態に係る空気調和機の動作（フロー）について説明する。
【００４３】
まず、補助上下風向板７が回動中であるか否かを判断する（Ｓ１）。補助上下風向板７が回動していない場合（Ｓ１：Ｎｏ）、ステップＳ１を繰り返す。一方、補助上下風向板７が回動中である場合（Ｓ１：Ｙｅｓ）、送風ファン３が駆動中であるか否かを判断する（Ｓ２）。送風ファン３が駆動していない場合（Ｓ２：Ｎｏ）、制御部８は、補助上下風向板７を通常の回動速度である回動速度Ｖ１で回動させる（Ｓ３）。一方、送風ファン３が駆動中である場合（Ｓ２：Ｙｅｓ）、補助上下風向板７が、面Ｓ上（範囲β）又は面Ｓより下方（範囲γ）にあるか否かを判断する（Ｓ４）。そして、補助上下風向板７が、面Ｓ上（範囲β）又は面Ｓより下方（範囲γ）にある場合（Ｓ４：Ｙｅｓ）、制御部８は、補助上下風向板７を通常の回動速度よりも遅い回動速度である回動速度Ｖ２（Ｖ３）で回動させる（Ｓ５）。一方、補助上下風向板７が、面Ｓ上（範囲β）又は面Ｓより下方（範囲γ）にない場合（Ｓ３：Ｎｏ）、即ち、補助上下風向板７が、面Ｓより上方（範囲α）にある場合、制御部８は、通常の回動速度である回動速度Ｖ１で補助上下風向板７を回動させる。
【００４４】
［本実施形態の空気調和機の特徴］
本実施形態の空気調和機には、以下の特徴がある。
【００４５】
この空気調和機では、補助上下風向板７が、第１上壁部１６を延長した面Ｓを含む上下方向範囲において回動可能であって、補助上下風向板７が面Ｓ上にあるときの回動速度Ｖ２が、補助上下風向板７が面Ｓより上方にあるときの回動速度Ｖ１より遅いので、補助上下風向板７が面Ｓ上にある場合に、風切り音が発生することを抑制できる。また、補助上下風向板７が面Ｓ上にある場合、風量の抵抗が大きいが、補助上下風向板７の回動速度が遅いので、補助上下風向板７を駆動するモータとして駆動トルクの小さいモータを使用できる。
【００４６】
また、この空気調和機では、補助上下風向板７が第１上壁部１６を延長した面Ｓより下方にあるときの回動速度Ｖ３が、補助上下風向板７が面Ｓより上方にあるときの回動速度Ｖ１より遅いので、補助上下風向板７が面Ｓより下方にある場合に、風切り音が発生することを抑制できる。また、補助上下風向板７が面Ｓより下方にある場合、風量の抵抗が大きいが、補助上下風向板７の回動速度が遅いので、補助上下風向板７を駆動するモータとして駆動トルクの小さいモータを使用できる。
【００４７】
また、この空気調和機では、補助上下風向板７が、暖房運転時において、第１上壁部１６を延長した面Ｓを含む上下方向範囲においてスイング動作を行う「スイング動作」の運転時に、風切り音が発生することを抑制できる。
【００４８】
また、この空気調和機では、補助上下風向板７が、冷房運転時において、第１上壁部１６を延長した面Ｓより上方に配置されるとともに、上下風向板６が所定位置より下向きに固定された場合に、面Ｓより下方に配置されるものである場合に、風切り音が発生することを抑制できる。
【００４９】
また、この空気調和機では、送風ファン３が駆動していない場合には、補助上下風向板７の回動速度が通常の回動速度である回動速度Ｖ１で一定とされているので、風切り音が発生しない場合に、補助上下風向板７が通常の回動速度よりも遅い回動速度で回動することを防止できる。
【００５０】
以上、本発明の実施の形態について説明したが、本発明の具体的な構成は、上記実施形態に限定されるものでないと考えられるべきである。本発明の範囲は、上記実施形態の説明だけではなく特許請求の範囲によって示され、さらに特許請求の範囲と均等の意味および範囲内でのすべての変更が含まれる。
【００５１】
［変形例］
本実施形態の空気調和機では、補助上下風向板７が面Ｓより下方にあるときの回動速度Ｖ３を、面Ｓより上方にあるときの回動速度Ｖ１より遅くしたが、回動速度Ｖ３は、回動速度Ｖ１と同じであってもよい。
【００５２】
また、本実施形態の空気調和機では、補助上下風向板７が面Ｓ上にあるときの回動速度Ｖ２と、面Ｓより下方にあるときの回動速度Ｖ３とを同じとしたが、回動速度Ｖ２と回動速度Ｖ３は異なっていてもよい。
【００５３】
また、本実施形態の空気調和機では、補助上下風向板７が面Ｓ上にあるときの回動速度を、回動速度Ｖ２で一定としたが、補助上下風向板７が面Ｓ上にあるときの回動速度は一定でなくてもよい。例えば、範囲βの上限Ｔ１から下限Ｔ２に向かうにつれて、徐々に回動速度Ｖ２を遅くしてもよい。
【００５４】
また、本実施形態の空気調和機では、補助上下風向板７が面Ｓより下方にあるときの回動速度を、回動速度Ｖ３で一定としたが、補助上下風向板７が面Ｓより下方にあるときの回動速度も一定でなくてもよい。
【００５５】
また、本実施形態の空気調和機では、補助上下風向板７が面Ｓを含む上下方向範囲において回動する場合として、図６に示すように、冷房運転時において、上下風向板６が所定位置よりも下向きに固定された場合に、補助上下風向板７が面Ｓより下方に配置される場合と、暖房運転時の「スイング動作」の場合とについて説明した。しかし、補助上下風向板７が面Ｓを含む上下方向範囲において回動する場合は、これらに限られるものではない。そして、補助上下風向板７が面Ｓを含む上下方向範囲において回動する場合の全てにおいて、本実施形態と同様の効果を得ることができる。
【００５６】
また、本実施形態の空気調和機では、送風ファン３が駆動していない場合には、補助上下風向板７の回動速度を一定としたが、必ずしも一定とする必要はない。
【００５７】
また、本実施形態の空気調和機では、補助上下風向板７は、リモコン操作によって制御不可としたが、リモコン操作によって制御可能であってもよい。
【００５８】
また、本実施形態の空気調和機では、左右風向板５を備えているが、左右風向板５はなくてもよい。
【００５９】
また、空気調和機の除湿運転時に、冷房運転時と同様の動作が行われるようにしてもよい。したがって、本発明における「冷房運転時」には、「除湿運転時」が含まれる。
【産業上の利用可能性】
【００６０】
本発明を利用すれば、補助上下風向板が第１上壁部を延長した面上にある場合に、風切り音が発生することを抑制できるとともに、駆動トルクの小さいモータを使用できる空気調和機を提供できる。
【符号の説明】
【００６１】
１  室内機
３  送風ファン
６  上下風向板
７  補助上下風向板
１３  吸込口
１４  吹出口
１５  上壁部
１６  第１上壁部
１７  第２上壁部
【図１】
2014122738.tif 000003
【図２】
2014122738.tif 000004
【図３】
2014122738.tif 000005
【図４】
2014122738.tif 000006
【図５】
2014122738.tif 000007
【図６】
2014122738.tif 000008
【図７】
2014122738.tif 000009
【図８】
2014122738.tif 000010